(57)【要約】【課題】バッテリーポストに確実に取り付けることができるバッテリー端子を提供する。【解決手段】バッテリー端子１は、バッテリーポスト２が挿入される孔部４と、孔部４に挿入されたバッテリーポスト２との間の締付力を調整することで、孔部４の内周面５がバッテリーポスト２の外周面と接触し、孔部４がバッテリーポスト２に締結された締結状態にする締付力調整部７と、孔部４の内周面５に設けられ、締付力調整部７による締結状態において、バッテリーポスト２の軸方向及び周方向に対して引っ掛かるエッジ部としての溝部１３と、を備える。【選択図】図１
2015088262.tif 000002
【特許請求の範囲】
【請求項１】
バッテリーポストが挿入される孔部と、
前記孔部に挿入された前記バッテリーポストとの間の締付力を調整することで、前記孔部の内周面が前記バッテリーポストの外周面と接触し、前記孔部が前記バッテリーポストに締結された締結状態にする締付力調整部と、
前記孔部の内周面に設けられ、前記締付力調整部による前記締結状態において前記バッテリーポストの軸方向及び周方向に対して引っ掛かるエッジ部と、
を備えることを特徴とするバッテリー端子。
【請求項２】
前記エッジ部は、前記軸方向または前記周方向に沿って所定間隔で配置される凹部または凸部であることを特徴とする、請求項１に記載のバッテリー端子。
【請求項３】
前記エッジ部は、２方向に延在し交差点を有する溝部であることを特徴する、請求項１または２に記載のバッテリー端子。
【請求項４】
前記エッジ部は、前記軸方向及び前記周方向に前記所定間隔で配置される複数の窪み部であることを特徴とする、請求項２に記載のバッテリー端子。
【請求項５】
前記エッジ部は、屈曲点を有する溝部であることを特徴とする、請求項１または２に記載のバッテリー端子。
【発明の詳細な説明】
【技術分野】
【０００１】
本発明は、バッテリー端子に関する。
【背景技術】
【０００２】
従来、車両等に搭載されたバッテリーに立設されたバッテリーポストに取り付けるためのバッテリー端子が知られている。例えば特許文献１には、孔部にバッテリーポストを挿入した状態で締結させることにより、バッテリーポストに取り付けることができるバッテリー端子の構成が開示されている。
【先行技術文献】
【特許文献】
【０００３】
【特許文献１】特開２０１０−３５８３号公報
【発明の概要】
【発明が解決しようとする課題】
【０００４】
しかしながら、従来のバッテリー端子では、バッテリーポストに締結されている状態でも、例えば外力等の影響によって、バッテリーポストに対するバッテリー端子の相対的な位置が変化する場合があり、この点で改善の余地があった。
【０００５】
本発明は、上記に鑑みてなされたものであって、バッテリーポストに確実に取り付けることができるバッテリー端子を提供することを目的とする。
【課題を解決するための手段】
【０００６】
上記課題を解決するために、本発明に係るバッテリー端子は、バッテリーポストが挿入され孔部と、前記孔部に挿入された前記バッテリーポストとの間の締付力を調整することで、前記孔部の内周面が前記バッテリーポストの外周面と接触し、前記孔部が前記バッテリーポストに締結された締結状態にする締付力調整部と、前記孔部の前記内周面に設けられ、前記締付力調整部による前記締結状態において前記バッテリーポストの軸方向及び周方向に対して引っ掛かるエッジ部と、を備えることを特徴とする。
【０００７】
また、上記のバッテリー端子において、前記エッジ部は、前記軸方向または前記周方向に沿って所定間隔で配置される凹部または凸部であることが好ましい。
【０００８】
また、上記のバッテリー端子において、前記エッジ部は、２方向に延在し交差点を有する溝部であることが好ましい。
【０００９】
また、上記のバッテリー端子において、前記エッジ部は、前記軸方向及び前記周方向に前記所定間隔で配置される複数の窪み部であることが好ましい。
【００１０】
また、上記のバッテリー端子において、前記エッジ部は、屈曲点を有する溝部であることが好ましい。
【発明の効果】
【００１１】
本発明に係るバッテリー端子は、バッテリーポストに対する軸方向及び周方向への相対移動を規制して、バッテリーポストに対する軸方向及び周方向の保持力を向上でき、この結果、バッテリーポストに締結された締結状態において、バッテリーポストに確実に取り付けることができるという効果を奏する。
【図面の簡単な説明】
【００１２】
【図１】図１は、本発明の第一実施形態に係るバッテリー端子の概略構成を示す斜視図である。
【図２】図２は、図１に示すバッテリー端子の平面図である。
【図３】図３は、図２中のＩＩＩ−ＩＩＩ断面図であり、バッテリー端子の孔部の内周面に設けられる溝部の形状を示す模式図である。
【図４】図４は、本発明の第二実施形態に係るバッテリー端子の概略構成を示す斜視図である。
【図５】図５は、図４に示すバッテリー端子の平面図である。
【図６】図６は、図５中のＶＩ−ＶＩ断面図であり、バッテリー端子の孔部の内周面に設けられる溝部の形状を示す模式図である。
【図７】図７は、本発明の実施形態の第一変形例に係るバッテリー端子の断面図であり、バッテリー端子の孔部の内周面に設けられる溝部の形状を示す模式図である。
【図８】図８は、本発明の実施形態の第二変形例に係るバッテリー端子の断面図であり、バッテリー端子の孔部の内周面に設けられる溝部の形状を示す模式図である。
【図９】図９は、本発明の実施形態の第三変形例に係るバッテリー端子の断面図であり、バッテリー端子の孔部の内周面に設けられる溝部の形状を示す模式図である。
【図１０】図１０は、本発明の実施形態の第四変形例に係るバッテリー端子の断面図であり、バッテリー端子の孔部の内周面に設けられる溝部の形状を示す模式図である。
【発明を実施するための形態】
【００１３】
以下に、本発明に係るバッテリー端子の実施形態を図面に基づいて説明する。なお、以下の図面において、同一または相当する部分には同一の参照番号を付し、その説明は繰り返さない。
【００１４】
［第一実施形態］
図１〜３を参照して第一実施形態を説明する。図１は、本発明の第一実施形態に係るバッテリー端子の概略構成を示す斜視図であり、図２は、図１に示すバッテリー端子の平面図であり、図３は、図２中のＩＩＩ−ＩＩＩ断面図であり、バッテリー端子の孔部の内周面に設けられる溝部の形状を示す模式図である。なお、以下の説明では、図１において上下方向に図示される軸線Ｃの延在方向を「軸方向」と表す。この軸方向は、図２では紙面の法線方向、図３では左右方向となる。また、図１，２に示すように、軸線Ｃまわりの方向を「周方向」と表す。この周方向は、図３では上下方向となる。
【００１５】
まず図１〜３を参照して第一実施形態に係るバッテリー端子の構成を説明する。バッテリー端子１は、車両等に搭載されたバッテリー（図示せず）に立設されたバッテリーポスト２に取り付けることにより、バッテリーと、このバッテリーが搭載される車両等の本体側の電線（図示せず）とを電気的に接続するための部品である。
【００１６】
図１，２に示すように、バッテリー端子１は、環状部３と、この環状部３に設けられ、バッテリーポスト２を挿入するための孔部４と、締付力調整部７（調整手段）と、接合板８と、を備える。一般に、バッテリーポスト２は、略円柱形状であり、さらに、軸方向の先端側に進むにつれて径が小さくなるようテーパーが付けられている。このため、バッテリー端子１の孔部４も、図３に示すように、バッテリーポスト２と同様に、軸方向に沿ってその内周面５にテーパーが付けられている。つまり、孔部４は、バッテリーポスト２が挿入される側の開口部の径が最大となり、反対側の開口部の径が最小となるよう形成されている。
【００１７】
図１，２に戻り、環状部３には、孔部４の周方向の一箇所を分断するように、一対の締め付け部材６が連設されている。一対の締め付け部材６は、相互に対向する対向面６ａを有し、これらの対向面６ａの法線方向が、軸方向と直交し、かつ、対向面６ａ同士が平行となるよう配置されている。環状部３及び孔部４は、一対の締め付け部材６の間に形成される間隙により開放されている。
【００１８】
環状部３には、周方向における締め付け部材６と反対側の位置に接合板８が連設されている。接合板８は、板面の法線方向が軸方向と平行となるよう配置されている。接合板８の板面上には、不図示の本体側電線を接続固定するための端子固定ボルト９が立設されている。
【００１９】
一対の締め付け部材６の間には、周方向に平行な貫通孔１０が形成されている。貫通孔１０には、締め付け部材６の間隙を横断する締め付けボルト１１が挿入される。締め付け部材６を貫通した締め付けボルト１１は、先端に螺合したナット１２と共働して、間隙を挟んで対向する一対の締め付け部材６を接近方向に締め付け、間隙を狭めることができる。これにより、環状部３の孔部４の径を縮小できるので、バッテリーポスト２が孔部４に挿入された状態では、孔部４の内周面５とバッテリーポスト２の外周面との間の接触力を増大させて、バッテリー端子１とバッテリーポスト２との間の締付力を増大させることができる。一方、締め付けボルト１１とナット１２を緩めれば、一対の締め付け部材６が離間方向に移動して間隙が広がるので、環状部３の孔部４の径を拡大でき、これにより孔部４の内周面５とバッテリーポスト２の外周面との間の接触力を減少させて、バッテリー端子１とバッテリーポスト２との間の締付力を減少させることができる。
【００２０】
このように、バッテリーポスト２が孔部４に挿入された状態で、締め付けボルト１１とナット１２により締め付け部材６の締め付け度合いを調整することで、孔部４の径を調整して、孔部４の内周面５とバッテリーポスト２の外周面との間の接触力を調整することができ、この結果、バッテリー端子１とバッテリーポスト２との間の締付力を調整できる。そして、締付力を適切に増加させることにより、バッテリー端子１をバッテリーポスト２に締結させることができる。つまり、本実施形態では、締め付け部材６、締め付けボルト１１、及びナット１２が、「孔部４に挿入されたバッテリーポスト２との接触力を調整し、孔部４の内周面５がバッテリーポスト２に締結された締結状態にする締付力調整部７」として機能する。なお、締付力調整部７は、バッテリー端子１とバッテリーポスト２との間の締付力を調整できれば、本実施形態とは別の構成でもよい。
【００２１】
孔部４の内周面５には、格子状の溝部１３が設けられている。溝部１３は、内周面５のうち、少なくとも、バッテリー端子１がバッテリーポスト２に取り付けられた際にバッテリーポスト２の外周面と接触する部分に設けられる。より詳細には、溝部１３は、個々が軸方向に延在し、周方向に沿って所定間隔で配置される複数の溝から成る第一の溝部１３ａと、個々が周方向に延在し、軸方向に沿って所定間隔で配置される複数の溝から成る第二の溝部１３ｂとを有する。これらの２方向に延在する第一の溝部１３ａと、第二の溝部１３ｂとが重畳して配置されることで、両溝部１３ａ，１３ｂが交差する交差点を有する、軸方向及び周方向に沿って格子状の溝部１３が内周面５上に形成されている。図１，２に示すように、溝部１３を形成する各溝は、その延在方向に垂直な断面形状が凹形状をとる凹部である。
【００２２】
一般に、バッテリーポスト２の外周面は、例えば鉛など、バッテリー端子１の内周面と比較して相対的に柔らかい材料が用いられている。このため、バッテリー端子１をバッテリーポスト２に取り付ける際に、孔部４にバッテリーポスト２を挿入した状態で、締付力調整部７により孔部４の内周面５とバッテリーポスト２との間の締付力が増大されて、孔部４の径が縮小されると、凹形状の溝部１３のエッジが、バッテリーポスト２の外周面に食い込んだ状態となる。つまり、軸方向に延在する第一の溝部１３ａの各溝は、そのエッジが軸方向に沿ってバッテリーポスト２の外周面に食い込んだ状態となり、周方向においてバッテリーポスト２に係止されるので、バッテリーポスト２に対するバッテリー端子１の周方向への相対移動を抑制することができる。また、周方向に延在する第二の溝部１３ｂの各溝は、そのエッジが周方向に沿ってバッテリーポスト２の外周面に食い込んだ状態となり、軸方向においてバッテリーポスト２に係止されるので、バッテリーポスト２に対するバッテリー端子１の軸方向への相対移動を抑制することができる。つまり、本実施形態では、溝部１３が、「孔部４の内周面５に設けられ、締付力調整部７による締結状態においてバッテリーポスト２の軸方向及び周方向に対して引っ掛かるエッジ部」として機能する。
【００２３】
第一の溝部１３ａを構成する各溝の間の距離、及び、第二の溝部１３ｂを構成する各溝の間の距離は、等間隔とすることが好ましい。これにより、バッテリー端子１をバッテリーポスト２に取り付ける際、バッテリー端子１の内周面５とバッテリーポスト２の外周面との間に均等に締付力を加えることができ、接触抵抗低減に有利となる。しかしながら、溝部１３の各溝の間の距離は、溝が配置される内周面５上の位置等に応じてその間隔を適宜変更してもよく、例えば軸方向に沿って所定間隔で配置される第二の溝部１３ｂにおいて、バッテリーポスト２の根元側と接触する部分の溝の間隔に対してバッテリーポスト２の先端側と接触する部分の溝の間隔を短くしたり、その逆にしてもよい。つまり、溝部１３は、隣り合う溝の間の所定間隔を個別に設定してもよい。また、溝部１３の各溝の幅は、一定であることが好ましいが、内周面５上の位置に応じてその幅を適宜変更してもよく、例えば軸方向に延在する第一の溝部１３ａにおいて、バッテリーポスト２との接触位置が根元側に進むほど幅を広げてもよい。
【００２４】
次に、本実施形態に係るバッテリー端子１の効果を説明する。
【００２５】
本実施形態のバッテリー端子１は、バッテリーポスト２が挿入され孔部４と、孔部４に挿入されたバッテリーポスト２との間の締付力を調整することで、孔部４の内周面５がバッテリーポスト２の外周面と接触し、孔部４がバッテリーポスト２に締結された締結状態にする締付力調整部７と、孔部４の内周面５に設けられ、締付力調整部７による締結状態において、バッテリーポスト２の軸方向及び周方向に対して引っ掛かるエッジ部としての溝部１３と、を備える。
【００２６】
この構成により、バッテリー端子１がバッテリーポスト２に取り付けられる際には、孔部４の内周面５に設けられた溝部１３のエッジがバッテリーポスト２の外周面に食い込み、バッテリーポスト２の軸方向及び周方向に対して引っ掛かるので、バッテリーポスト２に対するバッテリー端子１の軸方向及び周方向の保持力を向上できる。これにより、バッテリー端子１がバッテリーポスト２に締結された締結状態において、バッテリー端子１に大きな外力が加わった場合でも、バッテリーポスト２に対するバッテリー端子１の相対的な位置が軸方向または周方向に変化するのを抑制できる。この結果、本実施形態のバッテリー端子１は、バッテリーポスト２に締結された締結状態において、バッテリーポスト２に確実に取り付けることができる。
【００２７】
また、本実施形態のバッテリー端子１において、エッジ部としての溝部１３は、軸方向及び周方向に沿って所定間隔で配置される凹部である。
【００２８】
この構成により、バッテリー端子１がバッテリーポスト２に締結された締結状態では、孔部４の内周面５のうち、溝部１３を除く大部分をバッテリーポスト２の外周面と密着させることができるので、効率良く締付力をバッテリーポスト２に伝達することができ、バッテリー端子１をより一層確実にバッテリーポスト２に取り付けることができる。さらに、エッジ部としての溝部１３が凹形状であることにより、エッジ部の形成によるバッテリー端子１の内周面５とバッテリーポスト２の外周面との接触面積の減少を抑制できるので、バッテリー端子１とバッテリーポスト２とを電気的に安定して接続させることができる。また、本実施形態のような凹形状の溝部１３を形成するには、内周面５に切削加工やプレス加工を施す手法が考えられるが、溝部１３が内周面から掘り下げられる凹形状であるので、いずれの手法でも加工領域を溝部１３近傍に限定することが可能となり、加工の容易性を向上できる。
【００２９】
また、本実施形態のバッテリー端子１において、エッジ部としての溝部１３は、２方向に延在し交差点を有する格子状に形成される。より詳細には、溝部１３は、軸方向に延在し、周方向に所定間隔で配置される第１の溝部１３ａと、周方向に延在し、軸方向に所定間隔で配置される第２の溝部１３ｂとを有し、第１の溝部１３ａと第２の溝部１３ｂとが交差する交差点を有する格子状に形成される。
【００３０】
この構成により、軸方向に延在する第１の溝部１３ａによって、バッテリーポスト２に対するバッテリー端子１の周方向への相対移動が規制されて、周方向の保持力を向上できる。また、周方向に延在する第２の溝部１３ｂによって、バッテリーポスト２に対するバッテリー端子１の軸方向への相対移動が規制されて、軸方向の保持力を向上できる。このように、第１の溝部１３ａ及び第２の溝部１３ｂによる相対移動の規制方向が、周方向及び軸方向と一致するので、軸方向及び周方向の保持力を効率よく向上できる。これにより、所望の保持力を発揮するために必要なバッテリーポスト２との接触力を低減できるので、締め付けボルト１１の締め付けトルクを低減させることが可能となり、この結果、バッテリー端子１の過剰な締め付けによって、バッテリーポスト２が破損することを抑制できる。
【００３１】
［第二実施形態］
次に、図４〜６を参照して第二実施形態を説明する。図４は、本発明の第二実施形態に係るバッテリー端子の概略構成を示す斜視図であり、図５は、図４に示すバッテリー端子の平面図であり、図６は、図５中のＶＩ−ＶＩ断面図であり、バッテリー端子の孔部の内周面に設けられる溝部の形状を示す模式図である。
【００３２】
図４〜６に示すように、第二実施形態のバッテリー端子１ａは、孔部４の内周面５に設けられ、締付力調整部７による締結状態においてバッテリーポスト２の軸方向及び周方向に対して引っ掛かるエッジ部として、複数の円形状の窪み部１４を備える点で、第一実施形態のバッテリー端子１と異なるものである。
【００３３】
窪み部１４は、内周面５のうち、少なくとも、バッテリー端子１がバッテリーポスト２に取り付けられた際にバッテリーポスト２の外周面と接触する部分に設けられる。窪み部１４のそれぞれは、内周面５上の軸方向に沿って所定間隔をとって配置され、かつ、周方向に沿って所定間隔をとって配置される。つまり窪み部１４は、軸方向に直線状に所定間隔で配置される複数の窪み部１４（図４〜６の例では３個）から成る組を、周方向の全体に亘って所定間隔をとって複数配置するよう構成されている。言い換えると、窪み部１４は、周方向に直線状に所定間隔で配置される複数の窪み部１４から成る組を、軸方向に沿って所定間隔をとって複数（図４〜６の例では３組）配置するよう構成されている。複数の窪み部１４のそれぞれは、その断面形状が凹形状をとる凹部である。
【００３４】
バッテリー端子１ａをバッテリーポスト２に取り付ける際に、孔部４にバッテリーポスト２を挿入した状態で、締付力調整部７により孔部４の内周面５とバッテリーポスト２との間の締付力が増大されて、孔部４の径が縮小されると、凹形状の窪み部１４のエッジが、バッテリーポスト２の外周面に食い込んだ状態となる。つまり、バッテリーポスト２がバッテリー端子１の内周面５上の個々の窪み部１４に入り込んだ状態となる。窪み部１４のそれぞれは、内周面５上に軸方向及び周方向に所定間隔をとって配置されるので、バッテリー端子１ａは、窪み部１４によって、内周面５上の軸方向及び周方向に所定間隔で配置された複数箇所にてバッテリーポスト２の外周面に係止された状態となる。
【００３５】
窪み部１４のそれぞれは、その円形状のエッジが全周に亘ってバッテリーポスト２の外周面に食い込んだ状態となり、軸方向及び周方向の両方向においてバッテリーポスト２に係止されるので、バッテリーポスト２に対するバッテリー端子１ａの軸方向及び周方向への相対移動を抑制することができる。さらに、複数の窪み部１４が、軸方向及び周方向に直線状に配置されるので、軸方向または径方向に単一の窪み部のみが設けられる構成と比較して、バッテリー端子１ａを軸方向及び周方向において、より一層強固にバッテリーポスト２に係止でき、バッテリーポスト２に対するバッテリー端子１ａの軸方向及び周方向への相対移動の抑制効果を向上できる。従って、第二実施形態のバッテリー端子１ａは、窪み部１４によって、バッテリーポスト２に対する軸方向及び周方向の保持力を向上でき、バッテリーポスト２に締結された締結状態において、バッテリーポスト２に確実に取り付けることができる。
【００３６】
また、窪み部１４も、第一実施形態の溝部１３と同様に、軸方向及び周方向に沿って所定間隔で配置される凹部であるので、バッテリー端子１ａがバッテリーポスト２に締結された締結状態では、孔部４の内周面５のうち、窪み部１４を除く大部分をバッテリーポスト２の外周面と密着させることができる。これにより、本実施形態のバッテリー端子１ａも、第一実施形態と同様の取り付けの信頼性、電気的接続の安定性、及び加工の容易性を向上できるという効果を発揮できる。
【００３７】
なお、窪み部１４の形状は、バッテリーポスト２に食い込んだ状態で、バッテリーポスト２に対するバッテリー端子１ａの軸方向及び周方向への相対移動を抑制できればよく、例えば長円形状や方形状など、上記の円形状以外の形状でもよい。また、窪み部１４の軸方向及び周方向の所定間隔は、窪み部１４が配置される内周面５上の位置等に応じてその間隔を適宜変更してもよい。
【００３８】
［変形例］
次に、図７〜１０を参照して、上記実施形態の変形例について説明する。図７は、本発明の実施形態の第一変形例に係るバッテリー端子の断面図であり、図８は、本発明の実施形態の第二変形例に係るバッテリー端子の断面図であり、図９は、本発明の実施形態の第三変形例に係るバッテリー端子の断面図であり、図１０は、本発明の実施形態の第四変形例に係るバッテリー端子の断面図であり、各図は、バッテリー端子の孔部の内周面に設けられる溝部の形状を示す模式図である。なお、図７〜１０の断面図の位置は、図２中のＩＩＩ−ＩＩＩ断面図および図５中のＶＩ−ＶＩ断面図の位置と同一である。
【００３９】
上記の第一、第二実施形態では、孔部４の内周面５上に設けられ、軸方向及び周方向においてバッテリーポスト２に引っ掛かるエッジ部として、溝部１３及び窪み部１４を例示したが、軸方向及び周方向においてバッテリーポスト２に引っ掛かることができれば他の構成としてもよい。以下、図７〜１０を参照して、エッジ部の他の構成を変形例として説明する。
【００４０】
まず、図７を参照して第一変形例を説明する。第一実施形態では、格子状に形成される溝部１３の各溝の延在方向を軸方向及び周方向に限定していたが、これに限定せず、例えば図７の第一変形例に示す溝部１５のように、軸方向または周方向と交差する斜め方向、すなわち軸方向及び周方向を合成した方向としてもよい。図７のバッテリー端子１ｂにおいて、溝部１５は第一の溝部１５ａ及び第二の溝部１５ｂを有する。第一の溝部１５ａは、その延在方向が周方向の一方向（図７では下方向）に傾斜するよう形成され、第二の溝部１５ｂは、その延在方向が周方向の他方向（図７では上方向）に傾斜するよう形成され、それぞれが軸方向及び周方向に沿って所定間隔で内周面５に配置されている。なお、溝部１５は、図７に示すように、延在方向の異なる複数の溝部１５ａ，１５ｂを併せて設けてもよいし、例えば部１５ａまたは溝部１５ｂのいずれか一方のみを設けるように、各溝の延在方向が同一となるように溝を設けてもよい。
【００４１】
次に、図８を参照して第二変形例を説明する。第二実施形態では、複数の窪み部１４の軸方向及び周方向の位置を揃えて配置していたが、これに限定せず、例えば図８の第二変形例に示す窪み部１６のように、軸方向または周方向の位置をずらして配置してもよい。図８のバッテリー端子１ｃにおいて、窪み部１６は、周方向の全体に亘り所定間隔をとって配置される複数の窪み部１６からなる組を、軸方向に沿って所定間隔をとりつつ、周方向の位置をずらして複数（図８の例では３組）配置するよう構成されている。
【００４２】
次に、図９、１０を参照して第三変形例及び第四変形例を説明する。図７の第一変形例では、溝部１５が、それぞれの延在方向が軸方向及び周方向を合成した方向であり、かつ、その延在方向が相違する２種類の溝部１５ａ，１５ｂを有する構成を例示したが、例えば図９に示す第三変形例の溝部１７や、図１０に示す第四変形例の溝部１８のように、単一の溝が屈曲点を有する構成、つまり、単一の溝が２種類の延在方向を周期的に切り替える、所謂ジグザグ形状をとる構成としてもよい。
【００４３】
図９のバッテリー端子１ｄにおいて、溝部１７は、周方向の全体に亘り所定間隔をとって配置されている。そして、溝部１７のそれぞれは、軸方向と周方向の一方向（図９では下方向）とを合成した方向に延在する第一の部分１７ａと、軸方向と周方向の他方向（図９では上方向）とを合成した方向に延在する第二の部分１７ｂとが、軸方向に沿って交互に連続して配置されるよう形成されている。溝部１７は、第一の部分１７ａの延在方向から第二の部分１７ｂの延在方向へ屈曲する屈曲点と、第二の部分１７ｂの延在方向から第一の部分１７ａの延在方向へ屈曲する屈曲点とを交互に有する。
【００４４】
図１０のバッテリー端子１ｅにおいて、溝部１８は、軸方向に沿って所定間隔をとって配置されている。そして、溝部１８のそれぞれは、周方向と軸方向の一方向（図１０では左方向）とを合成した方向に延在する第一の部分１８ａと、周方向と軸方向の他方向（図１０では右方向）とを合成した方向に延在する第二の部分１８ｂとが、周方向の全体に亘って交互に連続して配置されるよう形成されている。溝部１８は、第一の部分１８ａの延在方向から第二の部分１８ｂの延在方向へ屈曲する屈曲点と、第二の部分１８ｂの延在方向から第一の部分１８ａの延在方向へ屈曲する屈曲点とを交互に有する。
【００４５】
以上、本発明の実施形態及びその変形例を説明したが、上記実施形態及び変形例は、例として提示したものであり、発明の範囲を限定することは意図していない。上記実施形態及び変形例は、その他の様々な形態で実施されることが可能であり、発明の要旨を逸脱しない範囲で、種々の省略、置き換え、変更を行なうことができる。上記実施形態及び変形は、発明の範囲や要旨に含まれると同様に、特許請求の範囲に記載された発明とその均等の範囲に含まれるものである。
【００４６】
上記実施形態では、バッテリーポスト２との接続時に、内周面５の軸方向及び周方向においてバッテリーポスト２に引っ掛かるエッジ部として、溝部１３，１５，１７，１８及び窪み部１４，１６など、内周面５の位置より径方向外側の環状部３側に凹む凹形状を例示したが、例えば、溝部１３，１５，１７，１８とは逆に、内周面５から径方向内側の軸線Ｃ側へ突出する筋部や、窪み部１４，１６とは逆に内周面５から軸線Ｃ側へ突出する突起部など、凸形状としてもよい。
【００４７】
また、上記実施形態では、エッジ部としての溝部１３，１５，１７，１８及び窪み部１４，１６は、軸方向または周方向に所定間隔をとって複数個を配置する構成を例示したが、軸方向及び周方向においてバッテリーポスト２に引っ掛かることができる構造であれば、軸方向または周方向に単体のエッジ部を設ける構成でもよい。
【００４８】
また、上記実施形態では、エッジ部としての溝部１３，１５，１７，１８が内周面５の全体に亘り連続的に延在する構成を例示したが、一部で分断してもよい。例えば、第一実施形態及び第一変形例の格子状の溝部１３，１５の場合、第一の溝部１３ａ，１５ａと第二の溝部１３ｂ，１５ｂとが交差する交差点を有する十字状のパターンを最小単位として、内周面５上に離散的に形成してもよい。また、第三、第四変形例のジグザグ形状の溝部１７、１８の場合、第一の部分１７ａ，１８ａから第二の部分１７ｂ，１８ｂへの屈曲点、または、第二の部分１７ｂ，１８ｂから第一の部分１７ａ，１８ａへの屈曲点を有するＬ字状のパターンを最小単位として、内周面５上に離散的に形成してもよい。
【符号の説明】
【００４９】
１，１ａ，１ｂ，１ｃ，１ｄ，１ｅ  バッテリー端子
２  バッテリーポスト
４  孔部
５  内周面
７  締付力調整部
１３，１５，１７，１８  溝部（エッジ部）
１４，１６  窪み部（エッジ部）
【図１】
2015088262.tif 000003
【図２】
2015088262.tif 000004
【図３】
2015088262.tif 000005
【図４】
2015088262.tif 000006
【図５】
2015088262.tif 000007
【図６】
2015088262.tif 000008
【図７】
2015088262.tif 000009
【図８】
2015088262.tif 000010
【図９】
2015088262.tif 000011
【図１０】
2015088262.tif 000012